(57)【特許請求の範囲】
【請求項１】
湾曲した表示画面を有する液晶パネルを有し、
前記液晶パネルは、第一の基板と、前記第一の基板と対向配置された第二の基板と、前記第一の基板と前記第二の基板との間に配置された液晶層と、を有し、
前記第一の基板には、カラーフィルター層と、前記カラーフィルター層を覆い、かつ複屈折性を有する複数の第一の位相差層と、光学的に等方な等方層とが同一の高分子膜によって形成されるオーバーコート層と、があり、
前記第一の位相差層が湾曲した前記表示画面の各コーナー部に対応する位置に設けられ、前記等方層が前記第一の位相差層よりも前記表示画面の中央にあり、
隣り合う二つの前記コーナー部に設けられた前記第一の位相差層の主軸は、前記二つのコーナー部を結ぶ前記表示画面の一辺に対して互いに逆向きに傾いている
表示装置。
【請求項２】
前記第二の基板には、前記コーナー部に対応する位置に設けられた第二の位相差層があり、
同じ前記コーナー部に設けられた前記第一の位相差層の主軸と前記第二の位相差層の主軸は、前記コーナー部を通る前記表示画面の一辺に対して互いに逆向きに傾いている
請求項１に記載の表示装置。
【請求項３】
前記第二の位相差層は、複屈折性を有し、
前記第二の位相差層よりも前記表示画面の中央にある前記第二の位相差層は、複屈折性を有していない
請求項２に記載の表示装置。
【請求項４】
前記第二の基板は、第二の基材と、前記第二の基材の前記液晶層側に設けられた前記第二の位相差層と、を有する
請求項２または３に記載の表示装置。
【請求項５】
前記液晶パネルは、横電界方式の液晶パネルである
請求項１ないし４のいずれか１項に記載の表示装置。
【発明の詳細な説明】
【技術分野】
【０００１】
本発明は、表示装置に関する。
【背景技術】
【０００２】
表示パネルを湾曲させた表示装置が知られている（例えば、特許文献１，２を参照）。この種の表示装置は、曲面ディスプレイと呼ばれる。表示パネルとしては、例えば、液晶パネルが用いられる。
【先行技術文献】
【特許文献】
【０００３】
【特許文献１】特開２０１０−２５６６８０号公報
【特許文献２】特開２０１３−０５０５３５号公報
【発明の概要】
【発明が解決しようとする課題】
【０００４】
液晶パネルを湾曲させると、湾曲時の応力によって、液晶パネルの基板の端部で複屈折が起こる。そのため、表示画面のコーナー部で光漏れが発生することがある。そのため、特許文献１では、複屈折による位相差を打ち消すための光学補償層が表示画面全体に設けられている。しかし、この構成では、複屈折が殆ど起こらない表示画面の中央部にも光学補償層が配置されるため、表示品質が大きく低下する。特許文献２では、液晶パネルのコーナー部だけ湾曲の度合が低減されているが、この構成では、液晶パネルのデザインが制約される。
【０００５】
本発明の目的は、表示画面のコーナー部において光漏れが発生しにくい表示装置を提供することにある。
【課題を解決するための手段】
【０００６】
本発明の一態様に係る表示装置は、湾曲した表示画面を有する液晶パネルと、湾曲した前記表示画面の各コーナー部に対応する位置に設けられた位相補償部材と、を有する。
【図面の簡単な説明】
【０００７】
【図１】図１は、第一の実施形態に係る表示装置の概略構成を示す分解斜視図である。
【図２】図２は、表示装置の端部を拡大して示す断面図である。
【図３】図３は、液晶パネルの概略図である。
【図４】図４は、第一の位相差層の平面図である。
【図５】図５は、コーナー部に発生する第一の基材の応力分布を示す平面図である。
【図６】図６は、第二の実施形態に係る液晶パネルの概略図である。
【図７】図７は、第一の位相差層の平面図である。
【図８】図８は、第二の位相差層の平面図である。
【図９】図９は、コーナー部に発生する第一の基材の応力分布を示す平面図である。
【図１０】図１０は、コーナー部に発生する第二の基材の応力分布を示す平面図である。
【発明を実施するための形態】
【０００８】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
［第一の実施形態］
図１は、第一の実施形態に係る表示装置１００の概略構成を示す分解斜視図である。図２は、表示装置１００の端部を拡大して示す断面図である。
【００１０】
図１に示すように、表示装置１００は、カバー部材１０と、液晶パネル２０と、バックライト３０と、を有する。
【００１１】
カバー部材１０は、ガラス基板やプラスチック基板などの透明な基板によって構成されている。カバー部材１０は、液晶パネル２０の前面側に配置され、液晶パネル２０の表示画面ＤＳを保護する。表示画面ＤＳは、例えば、第一の辺Ｓ１を長辺とし、第二の辺Ｓ２を短辺とする矩形形状を有する。カバー部材１０は、例えば、第一の辺Ｓ１と平行な方向において対向する両端部が中央部よりも前面側に突出するように湾曲している。液晶パネル２０は、カバー部材１０の湾曲面に沿って湾曲した状態でカバー部材１０に固定されている。
【００１２】
図２に示すように、液晶パネル２０は、第一の基板２１と、第二の基板２２と、第一の偏光板２３と、第二の偏光板２４と、を有する。第一の基板２１と第二の基板２２は、ガラスなどの光弾性体によって構成されている。第二の基板２２は、第一の基板２１と対向配置されている。第一の基板２１と第二の基板２２との間には、液晶層２５（図３参照）が配置されている。液晶層２５の外周は、枠状のシール材ＳＭ（図１参照）によってシールされている。
【００１３】
第一の偏光板２３は、第一の基板２１に接着されている。第二の偏光板２４は、第二の基板２２に接着されている。カバー部材１０は、接着層１９を介して液晶パネル２０の第一の偏光板２３に接着されている。シール材ＳＭに囲まれた領域の中央部には、表示領域が設けられている。表示領域と対向する液晶パネル２０の最表面（例えば、第一の偏光板２３の表面）が表示画面ＤＳである。
【００１４】
液晶パネル２０の背面側には、バックライト３０が配置されている。バックライト３０は、例えば、導光板３１と、複数の光学シートと、を有する。本実施形態では、例えば、複数の光学シートとして、導光板３１の前面側に積層されたプリズムシート３２および拡散シート３３と、導光板３１の背面側に配置された反射シート３４と、が設けられている。バックライト３０は、液晶パネル２０の湾曲形状に沿って湾曲している。
【００１５】
液晶パネル２０は、カバー部材１０の湾曲面に沿って湾曲した表示画面ＤＳを有する。観察者は、カバー部材１０を介して、表示画面ＤＳに表示された画像を観察する。第一の基板２１と第二の基板２２は、シール材ＳＭ（図１参照）によって接着されている。そのため、第一の辺Ｓ１と平行な方向において対向する第一の基板２１の両端部には、圧縮方向の力Ｆ１が作用する。第一の辺Ｓ１と平行な方向において対向する第二の基板２２の両端部には、引っ張り方向の力Ｆ２が作用する。
【００１６】
力Ｆ１および力Ｆ２は、液晶パネル２０の光学的特性に影響を与える。そのため、液晶パネル２０には、力Ｆ１および力Ｆ２によって生じる光学的影響を低減するために、後述の位相補償部材４０が設けられている。本実施形態では、発明の構成を理解しやすくするため、例えば、力Ｆ２が非常に小さく、力Ｆ２が液晶パネル２０に与える光学的な影響が無視できるものとして、以下、具体的に説明を行う。
【００１７】
第一の基板２１の両端部では、力Ｆ１に起因する光弾性効果によって複屈折が起こる。そのため、表示画面ＤＳの端部を通過する光に位相差が生じる。黒表示が行われる場合には、この位相差によって、表示画面ＤＳの端部に光漏れが発生する。光漏れは、表示画面ＤＳのコーナー部Ｃで大きくなる。そのため、表示画面ＤＳの各コーナー部Ｃには、位相補償部材４０が設けられている。位相補償部材４０は、表示画面ＤＳが湾曲した際の応力によって表示画面ＤＳの各コーナー部Ｃに生じた位相差を低減する。
【００１８】
図３は、液晶パネル２０の概略図である。図３の左側の図は、液晶パネル２０の層構造を示す図であり、図３の右側の図は、黒表示時にコーナー部Ｃを通過する光Ｌの偏光状態を示す図である。光Ｌは、バックライト３０（図１参照）から液晶パネル２０に向けて照射された光である。
【００１９】
位相補償部材４０は、例えば、第一の基板２１のコーナー部Ｃに対応する位置に設けられた第一の位相補償層２７を有する。液晶パネル２０は、例えば、表示画面ＤＳの中央部と各コーナー部Ｃとに跨る第一の位相差層２６を有する。各コーナー部Ｃに対応する位置に設けられた第一の位相差層２６は、複屈折性を有する。中央部に対応する位置に設けられた第一の位相差層２６は、複屈折性を有しない。各コーナー部Ｃに対応する位置に設けられた第一の位相差層２６が、第一の位相補償層２７として機能する。中央部に対応する位置に設けられた第一の位相差層２６は、光学的に等方な等方層２８である。
【００２０】
第一の位相差層２６は、例えば、第一の基板２１の液晶層２５側（内面側）に設けられた内面位相差層である。第一の基板２１は、例えば、第一の基材２１Ａと、第一の基材２１Ａの液晶層２５側に設けられた第一の位相差層２６と、を有する。第一の基板２１は、例えば、第一の基材２１Ａに設けられたカラーフィルター層と、このカラーフィルター層を覆うオーバーコート層と、を有する。オーバーコート層が、例えば、第一の位相差層２６として機能する。
【００２１】
第一の位相補償層２７は、例えば、コーナー部Ｃに対応する位置に設けられた第一の位相差層２６に偏光紫外線を照射することにより形成されている。例えば、第一の基材２１Ａ上に、光学的に等方な高分子膜を形成し、この高分子膜に偏光紫外線を照射すると、紫外線照射領域には、光異性化反応、光二量化反応または光分解反応が生じ、複屈折性が付与される。偏光紫外線が照射されない領域は、光学的に等方な状態を維持する。これにより、複屈折性を有する複数の第一の位相補償層２７と、光学的に等方な等方層２８と、が同一の高分子膜によって形成される。
【００２２】
図４は、第一の位相差層２６の平面図である。図５は、コーナー部Ｃに発生する第一の基材２１Ａの応力分布を示す平面図である。図５において、第一の基材２１Ａの各位置Ｐにおける力Ｆ１（図２参照）の大きさと向きは、応力ベクトルＶの長さと向きによってそれぞれ示されている。
【００２３】
図５に示すように、応力ベクトルＶは、第一の辺Ｓ１に対して若干傾斜した方向を向く。応力ベクトルＶの向きは、コーナー部Ｃから表示画面ＤＳの中央部に向かう向きである。応力ベクトルＶの大きさと向きは、コーナー部Ｃにおいて交差する二つの辺（図５では、例えば、第一の辺Ｓ１と第二の辺Ｓ２）からの距離に応じて異なる。そのため、例えば、各位置Ｐの平均的な応力ベクトルＶの大きさおよび向きが、コーナー部Ｃに発生する力Ｆ１の大きさおよび向きとして算出される。
【００２４】
図４に示すように、第一の位相差層２６の各コーナー部Ｃに対応する位置には、第一の位相補償層２７が設けられている。各コーナー部Ｃに位置する第一の位相補償層２７の主軸ＯＡ（遅相軸または進相軸）の向きおよび層厚は、各コーナー部Ｃに発生する第一の基材２１Ａの圧縮方向の力Ｆ１の分布に基づいて算出される。
【００２５】
隣り合う二つのコーナー部Ｃに設けられた第一の位相補償層２７の主軸ＯＡは、この二つのコーナー部Ｃを結ぶ表示画面ＤＳの一辺に対して互いに逆向きに傾いている。
【００２６】
例えば、第一のコーナー部Ｃ１に設けられた第一の位相補償層２７の主軸ＯＡ１と第二のコーナー部Ｃ２に設けられた第一の位相補償層２７の主軸ＯＡ２は、第一の辺Ｓ１に対して互いに逆向きに傾いている。第二のコーナー部Ｃ２に設けられた第一の位相補償層２７の主軸ＯＡ２と第三のコーナー部Ｃ３に設けられた第一の位相補償層２７の主軸ＯＡ３は、第二の辺Ｓ２に対して互いに逆向きに傾いている。第三のコーナー部Ｃ３に設けられた第一の位相補償層２７の主軸ＯＡ３と第四のコーナー部Ｃ４に設けられた第一の位相補償層２７の主軸ＯＡ４は、第三の辺Ｓ３に対して互いに逆向きに傾いている。第四のコーナー部Ｃ４に設けられた第一の位相補償層２７の主軸ＯＡ４と第一のコーナー部Ｃ１に設けられた第一の位相補償層２７の主軸ＯＡ１は、第四の辺Ｓ４に対して互いに逆向きに傾いている。
【００２７】
図３に戻って、第一の基板２１と第二の基板２２には、例えば、液晶層２５を水平配向させる配向処理が施されている。例えば、第一の基板２１と第二の基板２２の配向処理の方向（例えば、ラビング方向）は、互いに平行である。初期配向状態における液晶層２５の配向方向（初期配向方向ＡＤ）は、配向処理の方向と平行である。初期配向方向ＡＤは、例えば、表示画面ＤＳの第二の辺Ｓ２と平行な方向である。第一の偏光板２３の透過軸ＰＡ１と第二の偏光板２４の透過軸ＰＡ２は、互いに直交している。初期配向方向ＡＤは、例えば、第二の偏光板２４の透過軸ＰＡ２と平行である。
【００２８】
液晶層２５の配向方向は、例えば、液晶層２５の層厚方向と直交する方向の電界（横電界）によって変化する。液晶パネル２０は、液晶分子の配向方向が、横電界によって液晶層２５の層厚方向と直交する面内で変化する横電界方式の液晶パネルである。液晶パネル２０では、初期配向状態において黒表示が行われる。
【００２９】
次に、図３を用いて、黒表示時の各コーナー部Ｃの光Ｌの偏光状態を説明する。
【００３０】
バックライト３０（図１参照）からコーナー部Ｃに向けて照射された光Ｌは、第二の偏光板２４によって直線偏光に変換され、第二の基板２２に入射する。本実施形態の場合、第二の基板２２に作用する力Ｆ２は非常に小さく、第二の基板２２には複屈折性は生じていない。よって、第二の基板２２の端部を通過した光Ｌは、直線偏光のままである。
【００３１】
第二の基板２２の端部を通過した光Ｌは、液晶層２５を介して第一の位相補償層２７に入射する。黒表示が行われる場合には、液晶層２５の配向方向は第二の偏光板２４の透過軸ＰＡ２と平行である。そのため、液晶層２５に入射する光Ｌが直線偏光であれば、光Ｌの偏光状態は変化しない。
【００３２】
液晶層２５を通過した光Ｌは、第一の位相補償層２７によって楕円偏光に変換される。図２に示したように、第一の基板２１の端部には圧縮方向の力Ｆ１が作用する。そのため、光弾性効果によって、第一の基材２１Ａの端部には位相差が生じる。第一の位相補償層２７は、光Ｌが第一の基材２１Ａの端部を通過する際に付与される位相差を相殺するような位相差を予め光Ｌに付与する。よって、第一の位相補償層２７を通過した光Ｌは、第一の基材２１Ａの端部を通過することで直線偏光に変換され、第一の偏光板２３によって吸収される。
【００３３】
以上説明したように、本実施形態の表示装置１００では、表示画面ＤＳの各コーナー部Ｃに対応する位置に位相補償部材４０が設けられている。位相補償部材４０によって、表示画面ＤＳが湾曲した際の応力によって表示画面ＤＳの各コーナー部Ｃに生じた位相差が低減される。よって、黒表示時にコーナー部Ｃで光漏れが発生しにくい。位相補償部材４０は、表示画面ＤＳのコーナー部Ｃに選択的に設けられるため、表示画面ＤＳの中央部の画像は乱れない。よって、表示画面ＤＳ全体で良好な画像表示が実現される。
【００３４】
本実施形態では、位相補償部材４０が、第一の位相補償層２７によって構成されている。第一の位相補償層２７は、液晶パネル２０に内在する既存の高分子膜に偏光紫外線を照射することにより形成される。位相補償部材４０を別途用意する必要はない。そのため、構成が簡単になり、部品点数も削減される。
【００３５】
［第二の実施形態］
図６は、第二の実施形態に係る液晶パネル２９の概略図である。図６の左側の図は、液晶パネル２９の層構造を示す図であり、図６の右側の図は、黒表示時にコーナー部Ｃを通過する光Ｌの偏光状態を示す図である。本実施形態において、第一の実施形態と共通する構成要素について、同じ符号を付し、詳細な説明は省略する。
【００３６】
本実施形態において第一の実施形態と異なる点は、位相補償部材４０が、第一の基板２１と第二の基板２２に設けられている点である。位相補償部材４０は、例えば、第一の基板２１のコーナー部Ｃに対応する位置に設けられた第一の位相補償層５１と、第二の基板２２のコーナー部Ｃに対応する位置に設けられた第二の位相補償層６１と、を有する。本実施形態では、力Ｆ１および力Ｆ２は、液晶パネル２０の光学的特性に影響を与えるものとして、以下、具体的に説明を行う。
【００３７】
液晶パネル２０は、表示画面ＤＳの中央部と各コーナー部Ｃとに跨る第一の位相差層５０を有する。各コーナー部Ｃに対応する位置に設けられた第一の位相差層５０は、複屈折性を有する。中央部に対応する位置に設けられた第一の位相差層５０は、複屈折性を有しない。各コーナー部Ｃに対応する位置に設けられた第一の位相差層５０が、第一の位相補償層５１として機能する。中央部に対応する位置に設けられた第一の位相差層５０は、光学的に等方な等方層５２である。
【００３８】
第一の位相差層５０は、例えば、第一の基板２１の液晶層２５側（内面側）に設けられた内面位相差層である。第一の基板２１は、例えば、第一の基材２１Ａと、第一の基材２１Ａの液晶層２５側に設けられた第一の位相差層５０と、を有する。第一の基板２１は、例えば、第一の基材２１Ａに設けられたカラーフィルター層と、このカラーフィルター層を覆うオーバーコート層と、を有する。オーバーコート層が、例えば、第一の位相差層５０として機能する。
【００３９】
液晶パネル２０は、表示画面ＤＳの中央部と各コーナー部Ｃとに跨る第二の位相差層６０を有する。各コーナー部Ｃに対応する位置に設けられた第二の位相差層６０は、複屈折性を有する。中央部に対応する位置に設けられた第二の位相差層６０は、複屈折性を有しない。各コーナー部Ｃに対応する位置に設けられた第二の位相差層６０が、第二の位相補償層６１として機能する。中央部に対応する位置に設けられた第二の位相差層６０は、光学的に等方な等方層６２である。
【００４０】
第二の位相差層６０は、例えば、第二の基板２２の液晶層２５側（内面側）に設けられた内面位相差層である。第二の基板２２は、例えば、第二の基材２２Ａと、第二の基材２２Ａの液晶層２５側に設けられた第二の位相差層６０と、を有する。第二の基板２２は、例えば、第二の基材２２Ａに設けられた回路部材と、この回路部材を覆う絶縁層と、を有する。回路部材は、薄膜トランジスタや各種配線によって構成されている。回路部材を覆う絶縁層が、例えば、第二の位相差層６０として機能する。
【００４１】
第一の位相補償層５１は、例えば、コーナー部Ｃに対応する位置に設けられた第一の位相差層５０に偏光紫外線を照射することにより形成されている。第二の位相補償層６１は、例えば、コーナー部Ｃに対応する位置に設けられた第二の位相差層６０に偏光紫外線を照射することにより形成されている。
【００４２】
図７は、第一の位相差層５０の平面図である。図８は、第二の位相差層６０の平面図である。図９は、コーナー部Ｃに発生する第一の基材２１Ａの応力分布を示す平面図である。図１０は、コーナー部Ｃに発生する第二の基材２２Ａの応力分布を示す平面図である。図９および図１０において、各位置における力Ｆ１および力Ｆ２の大きさと向きは、応力ベクトルＶの長さと向きによってそれぞれ示されている。
【００４３】
図９および図１０に示すように、応力ベクトルＶは、第一の辺Ｓ１に対して若干傾斜した方向を向く。応力ベクトルＶの向きは、コーナー部Ｃから表示画面ＤＳの中央部に向かう向きである。応力ベクトルＶの大きさと向きは、コーナー部Ｃにおいて交差する二つの辺（図９および図１０では、例えば、第一の辺Ｓ１と第二の辺Ｓ２）からの距離に応じて異なる。
【００４４】
図７に示すように、第一の位相差層５０の各コーナー部Ｃに対応する位置には、第一の位相補償層５１が設けられている。各コーナー部Ｃに位置する第一の位相補償層５１の主軸ＯＡ（遅相軸または進相軸）の向きおよび層厚は、各コーナー部Ｃに発生する第一の基材２１Ａの圧縮方向の力Ｆ１の分布に基づいて算出される。隣り合う二つのコーナー部Ｃに設けられた第一の位相補償層５１の主軸ＯＡは、この二つのコーナー部Ｃを結ぶ表示画面ＤＳの一辺に対して互いに逆向きに傾いている。
【００４５】
図８に示すように、第二の位相差層６０の各コーナー部Ｃに対応する位置には、第二の位相補償層６１が設けられている。各コーナー部Ｃに位置する第二の位相補償層６１の主軸ＯＡ（遅相軸または進相軸）の向きおよび層厚は、各コーナー部Ｃに発生する第二の基材２２Ａの引っ張り方向の力Ｆ２の分布に基づいて算出される。隣り合う二つのコーナー部Ｃに設けられた第二の位相補償層６１の主軸ＯＡは、この二つのコーナー部Ｃを結ぶ表示画面ＤＳの一辺に対して互いに逆向きに傾いている。同じコーナー部Ｃに設けられた第一の位相補償層５１の主軸ＯＡと第二の位相補償層６１の主軸ＯＡは、コーナー部Ｃを通る表示画面ＤＳの一辺に対して互いに逆向きに傾いている。
【００４６】
次に、図６を用いて、黒表示時の各コーナー部Ｃの光Ｌの偏光状態を説明する。
【００４７】
バックライト３０（図１参照）からコーナー部Ｃに向けて照射された光Ｌは、第二の偏光板２４によって直線偏光に変換され、第二の基板２２に入射する。図２に示したように、第二の基板２２の端部には引っ張り方向の力Ｆ２が作用する。そのため、光弾性効果によって、第二の基材２２Ａ端部には位相差が生じる。よって、第二の基材２２Ａの端部を通過した光Ｌは、楕円偏光となる。
【００４８】
第二の基材２２Ａによって付与された位相差は、第二の位相補償層６１よって低減される。第二の位相補償層６１を通過した光Ｌは、第二の位相補償層６１によって偏光状態が第二の基材２２Ａに入射する前の状態に概ね戻された後、液晶層２５に入射する。黒表示が行われる場合には、液晶層２５の配向方向は第二の偏光板２４の透過軸ＰＡ２と平行である。第二の位相補償層６１よって直線偏光に変換された光Ｌは、液晶層２５によって偏光状態が変化しない。
【００４９】
液晶層２５を通過した光Ｌは、第一の位相補償層５１によって楕円偏光に変換される。図２に示したように、第一の基板２１の端部には圧縮方向の力Ｆ１が作用する。そのため、光弾性効果によって、第一の基材２１Ａの端部には位相差が生じる。そのため、第一の位相補償層５１は、光Ｌが第一の基材２１Ａの端部を通過する際に付与される位相差を相殺するような位相差を予め光Ｌに付与する。よって、第一の位相補償層５１を通過した光Ｌは、第一の基材２１Ａの端部を通過することで直線偏光に変換され、第一の偏光板２３によって吸収される。
【００５０】
以上のように、本実施形態においても、各コーナー部Ｃに対応する位置に設けられた位相補償部材４０によって、表示画面ＤＳの各コーナー部Ｃに生じた位相差が低減される。よって、黒表示時にコーナー部Ｃで光漏れが発生しにくくなり、表示画面ＤＳ全体で良好な画像表示が実現される。
【００５１】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。上述した発明を基にして当業者が適宜設計変更して実施しうる全ての発明も、本発明の要旨を包含する限り、本発明の技術的範囲に属する。
【００５２】
例えば、上記の実施形態では、位相補償部材４０が、一層または二層の位相補償層によって構成されたが、位相補償部材４０の構成はこれに限定されない。三層以上の位相補償層によって位相補償部材４０が構成されてもよい。
【００５３】
また、上記の実施形態では、第一の位相差層および第二の位相差層がいずれも内面位相差層として構成されているが、第一の位相差層および第二の位相差層の構成はこれに限定されない。例えば、第一の位相差層および第二の位相差層が、第一の基板２１および第二の基板２２の液晶層２５側とは反対側（外面側）に設けられた外面位相差層であってもよい。
【００５４】
また、上記の実施形態では、第一の位相補償層および第二の位相補償層がいずれも高分子膜に偏光紫外線を照射することにより形成されたが、第一の位相補償層および第二の位相補償層の形成方法はこれに限られない。また、位相補償部材４０は、既存の構成の一部を変質させて形成されているが、位相補償部材４０の形成方法はこれに限定されない。既存の構成に追加する態様で位相補償部材４０を設けてもよい。
【符号の説明】
【００５５】
２０  液晶パネル
２１  第一の基板
２１Ａ  第一の基材
２２  第二の基板
２２Ａ  第二の基材
２５  液晶層
２６，５０  第一の位相差層
２７，５１  第一の位相補償層
４０  位相補償部材
６０  第二の位相差層
６１  第二の位相補償層
１００  表示装置
Ｃ  コーナー部
ＤＳ  表示画面
ＯＡ  主軸
【図１】
0006554051.tif 000002
【図２】
0006554051.tif 000003
【図３】
0006554051.tif 000004
【図４】
0006554051.tif 000005
【図５】
0006554051.tif 000006
【図６】
0006554051.tif 000007
【図７】
0006554051.tif 000008
【図８】
0006554051.tif 000009
【図９】
0006554051.tif 000010
【図１０】
0006554051.tif 000011